(57)【要約】【課題】観光場所等の特定の場所を通行するための手形として所定のサービスを利用する際に利用者本人を確認することができると共に、観光の思い出として長期収蔵できる通行手形と通行手形作製方法を提供する。【解決手段】  通行手形１００は、透明なアンダーコートが塗布された木製の基材に利用者１０の写真が印刷されるもので、この通行手形１００を作製する際に、まず、木材を五角形の基材に加工し、その表面に透明なアンダーコートを塗布し、次に、通行手形１００の発行または提供場所において利用者に関連する写真を撮影し、得られた写真の画像データを画像データ処理装置へ転送し、画像データ処理装置において画像データの加工、図形あるいは文字の画像情報の付加、合成処理を行い、そして、アンダーコートの上にインクジェットプリンタを用いて画像データに基づいて画像を印刷した後、トップコートを塗布する。【選択図】        図１
2006334970.tif 000002
【特許請求の範囲】
【請求項１】
特定の場所を通行することを許可した証として発行されたり、観光の記念品として提供されたりする通行手形の作製方法であって、
非紙材料を所定形状の基材に加工する基材加工工程と、
予め前記基材表面の局部または全部に、該基材の表面を保護する機能とインクを吸収、定着させる機能を有するアンダーコートを塗布するアンダーコート塗布工程と、
人物等に関連する写真を撮影する撮影工程と、
前記撮影工程で得られた写真の画像データを画像データ処理装置へ転送する画像データ転送工程と、
前記画像データ処理装置において、前記画像データの加工、図形あるいは文字の画像情報の付加、合成処理を行う画像データ処理工程と、
前記アンダーコートの上に、インクジェットプリンタを用いて前記画像データ処理工程で得られた画像データに基づいて画像を印刷する画像印刷工程と
を備えることを特徴とする通行手形作製方法。
【請求項２】
前記基材は、五角形に加工された木材であり、
前記アンダーコートは、所定の耐水性を有する水溶性コート剤を用いて形成された透明なアンダーコートであり、
前記水溶性コート剤は、定着剤と、バインダーと、水とを所定の割合で混合して形成され、前記定着剤の割合は３５〜４５％で、前記バインダーの割合は７〜１７％であることを特徴とする請求項１に記載の通行手形作製方法。
【請求項３】
前記撮影工程では、前記通行手形の発行または提供場所において、該通行手形の利用者を被写体としてデジタルカメラを用いてスナップ写真を撮影することを特徴とする請求項１または請求項２に記載の通行手形作製方法。
【請求項４】
前記画像印刷工程で印刷された画像の表面にトップコートを塗布するトップコート塗布工程をさらに備えることを特徴とする請求項１乃至請求項３のいずれかに記載の通行手形作製方法。
【請求項５】
請求項１乃至請求項４のいずれかに記載の通行手形作製方法を用いて作製されたことを特徴とする通行手形。
【発明の詳細な説明】
【技術分野】
【０００１】
本発明は、写真付きの通行手形と通行手形作製方法に関する。詳しくは、所定の形状に加工された基材の表面の局部または全部にアンダーコートが塗布され、このアンダーコートの上に人物等に関連する写真、例えば利用者の写真を含む画像が印刷される構造とすることによって、観光場所等の特定の場所を通行するための手形、通行券、入場券として所定のサービスを利用する際に利用者本人を確認することができると共に、観光の思い出として長期に収蔵することができる通行手形とその作製方法に係るものである。
【背景技術】
【０００２】
従来、観光地等で使用される通行手形は、木材に手書き、スタンプまたはスクリーン印刷等の方法で所定の文字と図形を予め印刷したものが一般的である。
【０００３】
近年、木材に写真を印刷する方法が提案され、例えば、映像入りペット用塔婆および位牌が提案されている（例えば、特許文献１参照）。
【０００４】
この場合、木製塔婆および位牌素材に顔料インキを用い専用印刷機でペット映像を印刷する。しかし、このように、顔料インキを直接木材に印刷する場合、印刷機から吐出されたインキは木材の印刷面に吸収され、インキが拡散し滲みとなる。そのため、高画質、耐久性のある写真は得られないという問題があった。
【０００５】
この問題を解決するため、綺麗に高画質データ等を印刷することができる印刷方法および印刷装置が提案されている（例えば、特許文献２参照）。
【０００６】
この場合、下地溶剤用塗布ローラと印刷ヘッド部と印刷面保護溶剤用塗布ローラとを備える印刷装置を用いて、印刷素材の表面に水溶性インク浸透させる浸透性下地溶剤を塗布して浸透性下地層を形成しておいてから、インク印刷等により印刷層を形成した後、印刷層表面に印刷面保護溶剤を塗布して印刷面保護層を形成するようになされる。
【０００７】
また、プラスチック、木材、金属、皮革、硬質ゴム等を素材とする物体の表面に対して高耐久性を有する文字、図形、写真等の印刷を行うことができる高耐久性印刷方法が提案されている（例えば、特許文献３参照）。
【０００８】
この場合、被印刷体の印刷部位の表面に適合するプライマーを被層せしめ、該プライマー層の上にアンダーコート液を吹き付けもしくは塗布し、該アンダーコート層の乾燥を待って水性インクによる印刷を行い、印刷面が乾燥した後印刷面の表面にトップコートを被層せしめる。これにより、高耐久性の印刷物が得られる。
【０００９】
【特許文献１】実用新案登録第３１０４０２７号公報（第２頁、第２図）
【特許文献２】特開２００１−３１０５４４号公報（第２〜３頁、第１図）
【特許文献３】特開２００２−１８７３４０号公報（第２〜３頁、第１図）
【発明の開示】
【発明が解決しようとする課題】
【００１０】
しかし、従来、観光地等で使用される通行手形は、予め文字と図形を印刷したものしかないので、観光地で撮影した記念写真をその場で通行手形に印刷して特定の場所を通行することを許可した証として発行されたり、観光の記念品として提供されたりすることができなかった。また、観光地等で所定のサービスを利用する際に利用者本人を確認するものとして利用できないという欠点があった。
【００１１】
また、特許文献１に開示された映像入りペット用塔婆および位牌は、直接木材に印刷するもので、インキは木材の印刷面に吸収され、インキが拡散し滲みとなるため、高画質、耐久性のある写真は得られないという問題があった。
【００１２】
また、特許文献２に開示された印刷方法は、下地層を塗布することで高画質の写真が得られるが、下地溶剤用塗布ローラ等を有する特殊な印刷装置が必要であるため、印刷設備のコストが高くなるという不都合があった。
【００１３】
また、特許文献３に開示された高耐久性印刷方法は、被印刷体の表面にプライマーを塗布し、該プライマー層の上にアンダーコート液を塗布するものであり、２つの処理工程を必要とするため、時間とコストがかかるという不都合があった。
【００１４】
そこで、この発明は、特殊な印刷装置を必要とせず、観光場所等の特定の場所を通行するための手形として所定のサービスを利用する際に利用者本人を確認することができると共に、観光の思い出として長期保存できるようにした通行手形と通行手形作製方法を提供することを目的とする。
【課題を解決するための手段】
【００１５】
本発明に係る通行手形作製方法は、特定の場所を通行することを許可した証として発行されたり、観光の記念品として提供されたりする通行手形の作製方法であって、非紙材料を所定形状の基材に加工する基材加工工程と、予め前記基材表面の局部または全部に、該基材の表面を保護する機能とインクを吸収、定着させる機能を有するアンダーコートを塗布するアンダーコート塗布工程と、人物等に関連する写真を撮影する撮影工程と、前記撮影工程で得られた写真の画像データを画像データ処理装置へ転送する画像データ転送工程と、前記画像データ処理装置において、前記画像データの加工、図形あるいは文字の画像情報の付加、合成処理を行う画像データ処理工程と、前記アンダーコートの上に、インクジェットプリンタを用いて前記画像データ処理工程で得られた画像データに基づいて画像を印刷する画像印刷工程とを備えることを特徴とする。
【００１６】
例えば、前記基材は、五角形に加工された木材であり、前記アンダーコートは、所定の耐水性を有する水溶性コート剤を用いて形成された透明なアンダーコートであり、前記水溶性コート剤は、定着剤と、バインダーと、水とを所定の割合で混合して形成され、前記定着剤の割合は３５〜４５％で、前記定着剤の割合は７〜１７％である。
【００１７】
また例えば、前記撮影工程では、前記通行手形の発行または提供場所において、該通行手形の利用者を被写体としてデジタルカメラを用いてスナップ写真を撮影する。また、前記画像印刷工程で印刷された画像の表面にトップコートを塗布するトップコート塗布工程をさらに備える。
【００１８】
本発明においては、基材表面の局部または全部に、該基材の表面を保護する機能とインクを吸収、定着させる機能を有するアンダーコートを予め塗布した基材に人物等に関連する写真、例えば利用者の写真を印刷するようになされる。
【００１９】
これにより、特殊な印刷装置を必要とせず、観光地で撮影した記念写真をその場で通行手形に印刷して特定の場所を通行することを許可した証として発行されたり、観光の記念品として提供されたりすることが可能となる。
【００２０】
また、木製の基材に透明なアンダーコートを塗布することで、高画質の写真が得られることができると共に、基材の木目が見えるので木の風味が活かされ、今までの記念写真とは異なる効果を得ることが可能となる。また、写真が印刷された部分以外の基材表面を保護することも可能となる。
【００２１】
また、通行手形の発行または提供場所において、利用者を被写体としてデジタルカメラを用いてスナップ写真を撮影することで、観光場所等の特定の場所を通行するための手形として所定のサービスを利用する際に利用者本人を確認することができると共に、観光の思い出として長期保存できる。
【００２２】
また、印刷された画像の表面にトップコートを塗布することで、印刷された写真の色落ちや擦れによる傷の発生を保護することができ、通行手形を観光の思い出として長期に収蔵することが可能となる。
【００２３】
また、本発明に係る通行手形は、上述した通行手形作製方法を用いて作製されることを特徴とするものである。
【００２４】
これにより、高画質の写真付きの通行手形を提供することができ、観光地で撮影した記念写真をその場で通行手形に印刷して特定の場所を通行することを許可した証として発行されたり、観光の記念品として提供されたりすることができるため、特定の場所を通行するための手形として所定のサービスを利用する際に利用者本人を確認することができると共に、観光の思い出として長期に収蔵することが可能となる。
【発明の効果】
【００２５】
本発明によれば、通行手形作製方法は、非紙材料を所定の形状の基材に加工し、この基材表面の局部または全部に、該基材の表面を保護する機能とインクを吸収、定着させる機能を有する透明なアンダーコートを塗布し、次に、通行手形の発行または提供場所において人物等に関連する写真を撮影し、得られた写真の画像データを画像データ処理装置へ転送し、画像データ処理装置において画像データの加工、図形あるいは文字の画像情報の付加、合成処理を行い、そして、アンダーコートの上にインクジェットプリンタを用いて画像データに基づいて画像を印刷する。
【００２６】
これにより、特殊な印刷装置を必要とせず、観光地で撮影した記念写真をその場で通行手形に印刷して特定の場所を通行することを許可した証として発行されたり、観光の記念品として提供されたりすることができる。
【００２７】
また、木製の基材に透明なアンダーコートを塗布することで、高画質の写真が得られることができると共に、基材の木目が見えるので木の風味が活かされ、今までの記念写真とは異なる効果を得ることができる。また、写真が印刷された部分以外の基材表面を保護することもできる。また、従来のようにプライマー層を塗布する工程が必要とせず、時間とコストがかかるという不都合を解消することできる。
【００２８】
また、通行手形の発行または提供場所において、通行手形の利用者を被写体としてデジタルカメラを用いてスナップ写真を撮影することで、観光場所等の特定の場所を通行するための手形として所定のサービスを利用する際に利用者本人を確認することができると共に、観光の思い出として長期保存できる。また、記念写真と通行手形を一体にすることで通行手形の収蔵価値を向上することもできる。
【００２９】
また、印刷された画像の表面にトップコートを塗布することで、印刷された写真の色落ち擦れによる傷の発生を保護することができ、通行手形を観光の思い出として長期に収蔵することができる。
【００３０】
また、本発明によれば、通行手形は、上述した通行手形作製方法を用いて作製されるものであり、高画質の写真付きの通行手形を提供することができ、観光地で撮影した記念写真をその場で通行手形に印刷して特定の場所を通行することを許可した証として発行されたり、観光の記念品として提供されたりすることができるため、特殊な印刷装置を必要とせず、特定の場所を通行するための手形として所定のサービスを利用する際に利用者本人を確認することができると共に、観光の思い出として長期に収蔵することができる。
【発明を実施するための最良の形態】
【００３１】
以下、図面を参照しながら、この発明の実施の形態の通行手形および通行手形作製方法について説明する。
図１は、実施の形態としての通行手形の構成を示す図である。図２は、通行手形１００のＡ−Ａ断面を示す図である。
【００３２】
図１に示すように、通行手形１００は、木製の基材１１に利用者１０の写真１３が印刷されるものである。この写真には、文字１３ａ，１３ｂが含まれている。また図２に示すように、通行手形１００は、基材１１と、アンダーコート１２と、写真インク層（写真）１３と、トップコート１４とから構成されている。
【００３３】
基材１１は、木材を五角形に加工されたものであり、上部に貫通穴１５が設けられている。貫通穴１５にひも（またはストラップ）１６を取り付けている。この基材１１の寸法は、例えば厚さ１８ｍｍ、上部幅６９ｍｍ、下部幅７９ｍｍ、長さ１０８ｍｍとする。
【００３４】
アンダーコート１２は、基材の表面を保護する機能とインクを吸収、定着させる機能を有する透明なアンダーコートである。このアンダーコート１２は、所定の耐水性を有する水溶性コート剤を用いて形成され、該水溶性コート剤は、定着剤と、バインダーと、水とを所定の割合で混合して形成される。そのうち定着剤の割合は３５〜４５％で、定着剤の割合は７〜１７％である。
【００３５】
例えば、水溶性コート剤は、定着剤と、バインダーと、水との割合は４０：１２：４８の割合で混合するのが望ましい。このような水溶性コート剤を用いる場合、透明度の高いアンダーコート１２が形成することができ、かつ写真が印刷された部分以外の基材表面を保護することも可能である。
【００３６】
写真インク層１３は、インクジェットプリンタを用いて、水性顔料系インクで印刷した利用者１０の写真のインク層である。水性顔料系インクには、例えばエプソン社製のＩＣＣＬ３４型インクを用いることが望ましい。
【００３７】
トップコート１４は、透明な樹脂系コート剤であり、このトップコート１４は印刷された写真の色落ちや擦れによる傷の発生を保護することができる。
【００３８】
以下、通行手形１００の作製方法について説明する。図３は、通行手形作製システムの構成を示す図である。また図４は、通行手形１００の作製方法を示すフローチャートである。
【００３９】
図３に示すように、通行手形作製システム２００は、基材加工装置２１と、アンダーコート塗布装置２２と、デジタルカメラ２３と、接続ケーブル２４と、画像データ処理装置（例えばパーソナルコンピュータ）２５と、インクジェットプリンタ２６と、トップコート塗布装置２７とから構成されている。
ここで、インクジェットプリンタ２６は、マスターマインド社製のＭＭＰ−１００型プリンタを用いることが望ましい。
【００４０】
図４に示すように、通行手形１００を作製する際に、まず、ステップＳ１で、基材加工装置２１を用いて木材の原材料（例えば、米ヒバ）を五角形の基材１１に加工する。得られた基材１１をアンダーコート塗布装置２２へ搬送する。
【００４１】
次に、ステップＳ２で、アンダーコート塗布装置２２を用いて五角形の基材１１の写真を印刷しようとする面にアンダーコートを塗布する。ここで、例えば刷毛、スポンジ刷毛、霧吹き器、スプレーガン等を用い、水溶性コート剤を塗布する。塗布後自然乾燥させ、または温風を利用して乾燥させる。アンダーコートが塗布された基材１１ａは、インクジェットプリンタ２６へ搬送される。なお、ステップＳ２で、アンダーコート塗布装置２２を使用しないで、手作業でアンダーコートを塗布するようにしてもよい。
【００４２】
次に、ステップＳ３で、コンパクト型のデジタルカメラ２３で利用者を被写体としてスナップ写真を撮影する。この場合、例えば観光地の通行手形の発行または提供場所において、利用者（観光者）の記念写真を撮影する。
【００４３】
次に、ステップＳ４で、接続ケーブル２４を介して写真データを画像データ処理装置２５へ転送する。画像データの転送手段として、無線通信手段、または記憶媒体を用いてもよい。記憶媒体を用いた場合は、手動で写真が記憶された記憶媒体を画像データ処理装置２５へ移動し、画像データを画像データ処理装置２５に移す。
【００４４】
次に、ステップＳ５で、画像データ処理装置２５において、画像データの加工、図形あるいは文字１３ａ，１３ｂの画像情報の付加、合成処理を行う。ここで、写真のサイズ、形状、角度、フレーム選択等の調整を行うことも可能である。
【００４５】
次に、ステップＳ６で、インクジェットプリンタ２６を用いてステップＳ５で得られた画像データに基づいて写真１３をアンダーコートの上に印刷する。印刷後の基材１１ｂは、トップコート塗布装置２７へ搬送される。
【００４６】
そして、ステップＳ７で、トップコート塗布装置２７を用いてトップコートを塗布する。なお、ステップＳ７で、トップコート塗布装置２７を使用しないで、手作業でトップコートを塗布するようにしてもよい。トップコートを塗布した後、乾燥させて通行手形１００の作製工程が完了する。
【００４７】
なお、このステップＳ７を省略することもできる。この場合、基材１１ｂを通行手形１００の完成品として発行、提供することができ、擦れによる傷を発生する可能性があるが、通行手形１００の仕上がりが早くなり、発行時間を短縮することができる。
【００４８】
このように本実施の形態においては、通行手形１００は、基材１１と、アンダーコート１２と、写真インク層１３と、トップコート１４とから構成され、この通行手形１００を作製する際に、まず、木材を五角形の基材１１に加工し、その表面に透明なアンダーコート１２を塗布し、次に、通行手形１００の発行または提供場所において利用者に関連する写真を撮影し、得られた写真の画像データを画像データ処理装置２５へ転送し、画像データ処理装置２５において画像データの加工、図形あるいは文字の画像情報の付加、合成処理を行い、そして、アンダーコート１２の上にインクジェットプリンタ２６を用いて画像データに基づいて画像を印刷した後、トップコート１４を塗布する。
【００４９】
これにより、特殊な印刷装置を必要とせず、観光地で撮影した記念写真をその場で通行手形に印刷して特定の場所を通行することを許可した証として発行されたり、観光の記念品として提供されたりすることができる。
【００５０】
また、木製の基材１１に透明なアンダーコート１２を塗布することで、高画質の写真が得られることができると共に、基材の木目が見えるので木の風味が活かされ、今までの記念写真とは異なる効果を得ることができる。また、写真が印刷された部分以外の基材表面を保護することもできる。また、従来のようにプライマー層を塗布する工程が必要とせず、時間とコストがかかるという不都合を解消することできる。
【００５１】
また、通行手形１００の発行または提供場所において、利用者１０を被写体としてデジタルカメラ２３を用いてスナップ写真を撮影することで、観光場所等の特定の場所を通行するための手形として所定のサービスを利用する際に利用者本人を確認することができると共に、観光の思い出として長期保存できる。また、記念写真と通行手形を一体にすることで通行手形の収蔵価値を向上することもできる。
【００５２】
また、印刷された画像の表面にトップコート１４を塗布することで、印刷された写真の色落ち擦れによる傷の発生を保護することができ、通行手形を観光の思い出として長期に収蔵することができる。
【００５３】
なお、上述実施の形態においては、通行手形１００は木材の基材１１を用いたものであるが、これに限定されるものではない。例えば、基材として合成樹脂、セラミック、金属、ゴムおよび皮革等を用いてもよい。
【００５４】
また、上述実施の形態において、撮影工程（ステップＳ３）でコンパクト型のデジタルカメラ２３（図３）を用いて写真撮影を行う例について説明したが、これに限定されるものではない。例えば、一眼レフデジタルカメラ、ＣＣＤカメラ、カメラ付き携帯電話等を用いて写真撮影を行うようにしてもよい。なお、画像データを読み込むスキャナを用いた場合にもこの発明を適用できる。なお、人物以外に風景、ペット等の写真を撮影してもよい。
【００５５】
また、上述実施の形態において、アンダーコート１２およびトップコート１４は、基材１１の印刷面の全面に塗布された例であるが、これに限定されるものではない。例えば、基材１１の写真印刷部分のみにアンダーコート１２およびトップコート１４を塗布するようにしてもよい。
【産業上の利用可能性】
【００５６】
この発明は、観光地において特定の場所を通行するための手形、通行券、入場券として発行されたり、観光の記念品として提供されたりする記念写真付きの通行手形を提供する目的に適用する。今まで紙ベースの記念写真を提供してきた観光写真業界の新しい形となる商品を提供する目的に利用できる。
【図面の簡単な説明】
【００５７】
【図１】実施の形態の通行手形の構成例を示す斜視図である。
【図２】通行手形１００のＡ−Ａ断面を示す図である。
【図３】通行手形作製システムの構成例を示す図である。
【図４】通行手形１００の作製方法を示すフローチャートである。
【符号の説明】
【００５８】
１０  利用者
１１  基材
１２  アンダーコート
１３  写真インク層（写真）
１４  トップコート
１５  貫通穴
２１  基材加工装置
２２  アンダーコート塗布装置
２３  デジタルカメラ
２４  接続ケーブル
２５  画像データ処理装置
２６  インクジェットプリンタ
２７  トップコート塗布装置
１００  通行手形
２００  通行手形作製システム
【図１】
2006334970.tif 000003
【図２】
2006334970.tif 000004
【図３】
2006334970.tif 000005
【図４】
2006334970.tif 000006